(57)【要約】      （修正有）【課題】旋転中のブレードによる打撃を受けない洗濯ネットを提供する。【解決手段】複数の支承架とリブを連接してネット架体１を構成し、リブ２の連接箇所は上ネットフレーム体と下ネットフレーム体に分けられ、上ネットフレーム体と下ネットフレーム体は、螺紋か鞘と凹槽により結合する。衣類をネット架体に入れ、透水性の柔軟な布からなり、ファスナー４１を有するネット状の洗濯袋はネット架体を被覆すると共に、ネット架体１内に補助球３を放置する。衣類を洗濯機内で洗浄する時、水流が洗濯ネットからネット架体１に進入する。洗濯機の旋転中のブレードと衝突する時、洗濯袋は騒音を減少させ、ネット架体は衣類をネット架体内で完全に防護する。【選択図】図１
0003142496.tif 000002
【実用新案登録請求の範囲】
【請求項１】
洗濯ネットであって、
複数の支承架とリブから構成されるネット架体と、
透水性の柔軟な布材をネット状に、前記ネット架体を被覆し、周縁にファスナーとつまみを設置する洗濯袋と、
からなることを特徴とする洗濯ネット。
【請求項２】
少なくとも一つの補助球を前記ネット架体内に入れることを特徴とする請求項１に記載の洗濯ネット。
【請求項３】
前記支承架は細長い円弧状であることを特徴とする請求項１に記載の洗濯ネット。
【請求項４】
前記支承架は扁平状であることを特徴とする請求項１に記載の洗濯ネット。
【請求項５】
前記支承架は扁平の細長い円環状であることを特徴とする請求項１に記載の洗濯ネット。
【請求項６】
前記支承架とリブは一体成型であることを特徴とする請求項１に記載の洗濯ネット。
【請求項７】
前記リブ位置において、前記ネット架体は上ネットフレーム体と下ネットフレーム体に分けられ、前記上ネットフレーム体と下ネットフレーム体は螺紋を結合装置とすることを特徴とする請求項１に記載の洗濯ネット。
【請求項８】
前記リブ位置において、前記ネット架体は上ネットフレーム体と下ネットフレーム体に分けられ、前記上ネットフレーム体は弧面鞘を設置し、前記下ネットフレーム体は弧面凹槽を設置することを特徴とする請求項１に記載の洗濯ネット。
【請求項９】
バックルにより前記上ネットフレーム体と前記下ネットフレーム体を結合し、前記バックル両端は、それぞれ、フックを有し、一フックが前記上ネットフレーム体に掛けられ、もう一フックが前記下ネットフレーム体を結合することを特徴とする請求項７、或いは、請求項８に記載の洗濯ネット。
【考案の詳細な説明】
【技術分野】
【０００１】
本考案は、洗濯ネットに関するものであって、特に、洗濯機で衣類を洗濯する時、衣類を保護し、水流の揉み洗い空間を維持する洗濯ネットに関するものである。
【背景技術】
【０００２】
洗濯機は、モーターによりブレードを帯動して水中で快速に旋転させ、強力な渦巻き水流を形成し、水流中の衣類は渦巻き水流に沿って回転し、揉み洗い作用を生成すると共に、強力な渦巻き水流が反覆して、衣類を清潔に洗い上げる。現在、家庭における不可欠な物品である。
【０００３】
洗濯機で衣類を洗濯する時、高級な、或いは、定型が必要な衣類は、洗濯機中の高速回転のブレードによる打撃を受けて、衣類の繊維が損傷したり、衣類が変形するのを回避するため、このような保護が必要な衣類は、洗濯ネットに入れて洗濯する。洗濯ネットは、透水性の布からなり、ファスナーを設置している。
【０００４】
しかし、軟質の洗濯ネットは外力作用を受けて変形し、内部に入れられた衣類を損傷し、例えば、女性のワイヤー入りブラジャー等は、ブレードの衝撃を受けると変形する。また、洗濯ネット内に、衣類の適当な空間がなければ、衣類が絡まって、洗濯効果が減少する。市場には硬式の衣類洗濯補助容器があるが、洗濯機内で洗浄時、旋転中のブレードと衝突して騒音が生じることが欠点である。
【考案の開示】
【考案が解決しようとする課題】
【０００５】
本考案は、上述の問題を改善する洗濯ネットを提供することを目的とする。
【課題を解決するための手段】
【０００６】
本考案の洗濯ネットは、洗濯袋内にネット架体を設置して、洗濯袋の強度を増加し、高速回転ブレードの打撃を隔絶して、衣類の保護を強化し、騒音を減少させる。また、洗濯袋内のネット架体により、洗濯袋内の空間を拡張し、衣類が十分な空間を有する。ネット架体は上ネットフレーム体と下ネットフレーム体があり、組み合わせ、衣類の放置、取り出しが便利である。上ネットフレーム体と下ネットフレーム体の間はリブにより結合し、上ネットフレーム体と下ネットフレーム体は螺紋を利用するか、或いは、鞘と凹槽により結合し、また、一体成型の製造方式でネット架体の構造強度を増強することができる。
【０００７】
洗濯する衣類と少なくとも一つの補助球をネット架体中に入れ、透水性の柔軟な布で、ファスナーを有する洗濯袋はネット架体を被覆し、洗濯機中に入れる。洗濯袋は洗濯機中で、旋転するブレードと衝突する時、騒音が少なく、ネット架体は衣類を完全にネット架体内で防護する。
【考案の効果】
【０００８】
本考案により、洗濯袋は洗濯機中で、旋転するブレードと衝突する時、騒音が少なく、ネット架体は衣類を完全にネット架体内で防護する。
【考案を実施するための最良の形態】
【０００９】
図１を参照すると、洗濯袋４はネット架体１を被覆し、洗濯袋４は透水性の柔軟な布によりネット状にし、且つ、ファスナー４１を縫製し、つまみ４２により開いたり閉じたりする。ファスナー４１一端にループ４４を設置し、洗濯袋４、及び、ネット架体１のとってとなる。ファスナー４１の開閉する一端に、つまみ４２の保護ベルト４３を縫製する。図２のように、ネット架体１は複数の支承架とリブ２を設置する。図３と図４で示されるように、ネット架体１は、リブ２を境界線として、上ネットフレーム体１１と下ネットフレーム体１２に分け、リブ２の連接箇所に螺紋２１を設置して、上ネットフレーム体１１、及び、下ネットフレーム体１２を鎖合する。或いは、図５と図６で示されるように、上ネットフレーム体１１に、弧面鞘２２を設置し、下ネットフレーム体は弧面凹槽２３を設置し、弧面鞘２２と弧面凹槽２３により、上ネットフレーム体１１と下ネットフレーム体１２を係合し、この構造は洗濯機内の水流、及び、ブレードの衝撃を受けても分離しない。
【００１０】
図１を参照すると、補助球３をネット架体１中に置く目的は、洗濯ネットに浮力を有させ、洗濯槽底部に沈んで、旋転するブレードと衝突するのを防止するためである。
【００１１】
図７を参照すると、ワイヤーを有するブラジャー８を例とし、半分に折ってネット架体１中に置入する。或いは、図８で示されるように、上ネットフレーム体１１、及び、下ネットフレーム体１２を分け、ブラジャー８を置きいれ、上ネットフレーム体１１と下ネットフレーム体１２を結合する。図１で示されるように、つまみ４２により洗濯袋のファスナー４１を開け、洗濯袋４によりネット架体１を被覆し、その後、つまみ４２によりファスナー４１を閉じて、洗濯機に入れる。ネット架体１中の衣類は十分な空間があるので、絡むことがない。ネット架体１が洗濯機の高速回転ブレードの打撃を受ける時、洗濯袋は保護効果を有し、また、弾むことができるので、中の衣類がブレードによる打撃を受けない。洗濯袋４は柔軟な布からなり、ブレードの打撃を受けても、騒音が少ない。
【００１２】
図９を参照すると、上ネットフレーム体１１と下ネットフレーム体１２を更に緊密に結合するため、バックル７を設計し、両端はフック７１、７２を有し、バックル７のフック７１が上ネットフレーム体１１のリブ２に掛けられ、フック７２は下ネットフレーム体１２のリブ２に掛けられ、これにより、上ネットフレーム体１１と下ネットフレーム体１２が緊密に結合する。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【図面の簡単な説明】
【００１４】
【図１】本考案の立体図である。
【図２】本考案のネット架体の立体図である。
【図３】本考案のネット架体の分解図である。
【図４】本考案のネット架体の局部断面図である。
【図５】本考案のネット架体の分解図である。
【図６】本考案のネット架体の局部断面図である。
【図７】本考案をブラジャーの洗浄に応用した実施例図である。
【図８】本考案をブラジャーの洗浄に応用したもう一つの実施例図である。
【図９】本考案のバックルを示す図である。
【符号の説明】
【００１５】
１  ネット架体
２  リブ
３  補助球
４  洗濯袋
７  バックル
８  ブラジャー
１１  上ネットフレーム体
１２  下ネットフレーム体
２１  螺紋
２２  弧面鞘
２３  弧面凹槽
４１  ファスナー
４２  つまみ
４３  保護ベルト
４４  ループ
７１、７２  フック
８１  ストラップ
【図１】
0003142496.tif 000003
【図２】
0003142496.tif 000004
【図３】
0003142496.tif 000005
【図４】
0003142496.tif 000006
【図５】
0003142496.tif 000007
【図６】
0003142496.tif 000008
【図７】
0003142496.tif 000009
【図８】
0003142496.tif 000010
【図９】
0003142496.tif 000011
【手続補正書】
【提出日】平成20年4月17日(2008.4.17)
【手続補正１】
【補正対象書類名】明細書
【補正対象項目名】００１３
【補正方法】変更
【補正の内容】
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
なお、本考案の洗濯ネットの前記支承架は細長い円弧状であってもよいし、本考案の洗濯ネットの前記支承架は扁平状であってもよいし、本考案の洗濯ネットの前記支承架は扁平の細長い円環状であってもよい。